(57)【要約】【課題】拡大／縮小コピーの倍率設定の選択操作の煩雑さを解消し得る画像形成装置を提供する。【解決手段】拡大／縮小キー６ａの操作による倍率指定なしの拡大／縮小指示を受け付け（ステップＳＴ１）、表示部７に「用紙サイズを選択して下さい。」を表示する（ステップＳＴ２）。用紙サイズキー６ｂの操作で、用紙サイズが選択されると（ステップＳＴ３）、続いて、原稿サイズ検知器１３でセットされた原稿サイズを検知する（ステップＳＴ４）。入力された用紙サイズと検知された原稿サイズから倍率を算出し（ステップＳＴ５）、次にスタートキー６ｃが押下されると（ステップＳＴ６）、算出された倍率で、拡大／縮小コピーを実行する（ステップＳＴ７）。【選択図】　　　図２
2004077867.tif 000002
【特許請求の範囲】
【請求項１】
倍率を指定することなく、拡大又は縮小を行うことのみを指定する拡大／縮小指示受付手段と、
拡大／縮小指示の受付後、用紙サイズの指示を受け付ける用紙サイズ指示受付手段と、
原稿サイズを検知する手段と、
受け付けた用紙サイズと検知した原稿サイズとから倍率を算出し、算出した倍率に基づいて拡大／縮小コピーを実行させる制御手段と、
を備えることを特徴とする画像形成装置。
【請求項２】
倍率を指定することなく、拡大を行うことのみを指定する拡大指示受付手段と、
拡大指示の受付後、用紙サイズの指示を受け付ける用紙サイズ指示受付手段と、
原稿サイズを検知する手段と、
拡大指示受付状態において、指示された用紙サイズが検知した原稿サイズより小さい場合、用紙サイズ指示の受け付けを拒否又は確認のためのメッセージを出力させる制御手段と、
を備えたことを特徴とする画像形成装置。
【請求項３】
倍率を指定することなく、縮小を行うことのみを指定する縮小指示受付手段と、
縮小指示の受付後、用紙サイズの指示を受け付ける用紙サイズ指示受付手段と、
原稿サイズを検知する手段と、
縮小指示受付状態において、指示された用紙サイズが検知した原稿サイズより大きい場合、用紙サイズ指示の受け付けを拒否又は確認のためのメッセージを出力させる制御手段と、
を備えたことを特徴とする画像形成装置。
【発明の詳細な説明】
【０００１】
【発明の属する技術分野】
この発明は、複写機、ファクシミリ装置などの画像形成装置に関する。
【０００２】
【従来の技術】
一般に、複写機、ファクシミリ装置等の画像形成装置は、拡大／縮小機能を有する。この種の画像形成装置において、従来、拡大／縮小コピーを行う場合、最初に拡大／縮小のボタンを押して倍率を設定して、コピーボタンを操作している。具体的には倍率の選択は、表示部に表示される「Ｂ４→Ａ４」、「Ａ４→Ａ３」などの原稿サイズから用紙サイズへの多くの組合せ表示の中からいずれかを選択し、次にスタートボタンを押下し、この押下に応じて拡大／縮小コピー動作を実行している。
【０００３】
【発明が解決しようとする課題】
上記した従来の画像形成装置において、拡大／縮小コピーを行う場合、最初に「Ｂ４→Ａ４」、「Ａ４→Ａ３」など拡大率、縮小率を選択する必要があり、ユーザは様々な縮小／拡大の例が搭載されている中から、選択するのは煩雑であるという問題があった。また「Ｂ４→Ａ４」、「Ａ４→Ａ３」など、多くの組合せが存在するため、それを表示するための表示部が大型化するという問題があった。
【０００４】
この発明は上記問題点に着目してなされたものであって、倍率を設定するための選択操作の煩雑さを解消し、また、拡大／縮小コピーを指示するための表示部を小型化できる画像形成装置を提供することを目的としている。
【０００５】
【課題を解決するための手段】
この発明の第１の画像形成装置は、倍率を指定することなく、拡大又は縮小を行うことのみを指定する拡大／縮小指示受付手段と、拡大／縮小指示の受付後、用紙サイズの指示を受け付ける用紙サイズ指示受付手段と、原稿サイズを検知する手段と、受け付けた用紙サイズと検知した原稿サイズとから倍率を算出し、算出した倍率に基づいて拡大／縮小コピーを実行させる制御手段と、を備えている。
【０００６】
この画像形成装置では、拡大／縮小受付手段で拡大又は縮小を行うことのみが受け付けられる。次に、用紙サイズ受付手段によって、コピーすべき用紙サイズが受け付けられる。また、セットされた原稿サイズが検知され、受け付けた用紙サイズと検知された原稿サイズとから倍率が算出され、算出された倍率に基づいて拡大／縮小コピーが実行される。
【０００７】
また、この発明の第２の画像形成装置は、倍率を指定することなく、拡大を行うことのみを指定する拡大指示受付手段と、拡大指示の受付後、用紙サイズの指示を受け付ける用紙サイズ指示受付手段と、原稿サイズを検知する手段と、拡大指示受付状態において、指示された用紙サイズが検知した原稿サイズより小さい場合、用紙サイズ指示の受け付けを拒否又は確認のためのメッセージを出力させる制御手段と、を備えている。
【０００８】
この画像形成装置では、拡大指示受付状態において、指示された用紙サイズが検知した原稿サイズより小さい場合、用紙サイズの指示の受け付けを拒否又は確認のためのメッセージを出力するので、使用者は適正な用紙サイズの確認と、用紙サイズの再指示を行うことができる。
【０００９】
また、この発明の第３の画像形成装置は、倍率を指定することなく、縮小を行うことのみを指定する縮小指示受付手段と、縮小指示の受付後、用紙サイズの指示を受け付ける用紙サイズ指示受付手段と、原稿サイズを検知する手段と、縮小指示受付状態において、指示された用紙サイズが検知した原稿サイズより大きい場合、用紙サイズ指示の受け付けを拒否又は確認のためのメッセージを出力させる制御手段と、を備えている。
【００１０】
この画像形成装置では、縮小指示受付状態において、指示された用紙サイズが検知した原稿サイズより大きい場合、用紙サイズの指示の受け付けを拒否又は確認のためのメッセージを出力するので、使用者は適正な用紙サイズの確認と、用紙サイズの再指示を行うことができる。
【００１１】
【発明の実施の形態】
以下、実施の形態により、この発明をさらに詳細に説明する。この発明の画像形成装置の一実施形態である複合機の構成例であるブロック図を図１に示す。この実施形態複合機は、主制御部（ＣＰＵ）１と、ＮＣＵ（網制御部）２と、ＭＯＤＥＭ３と、スキャナ４と、画像処理部５と、操作部６と、表示部（ＬＣＤ）７と、ＬＡＮＩ／Ｆ８と、ＲＯＭ９と、ＲＡＭ（ＳＲＡＭ等）１０と、画像メモリ（ＤＲＡＭ等）１１と、ＣＯＤＥＣ（符号化・復号化器）１２と、原稿サイズ検知器１３と、プリンタ（画像記録部）１４と、を備えている。
【００１２】
主制御部１は、ＲＯＭ９に書き込まれている制御プログラムに従い、ＲＡＭ１０を作業領域として装置の全体制御を実行する。ＮＣＵ２は、主制御部１により制御されて、回線１６と当該複合機との接続を制御するとともに、通信相手の電話番号に応じたダイヤルパルスを送出する機能及び着信を検出する機能を有する。なお回線１６は、一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線１６に送出し、また逆に回線１６からＮＣＵ２を介して受信したアナログの音声信号をデジタル信号に復調する。
【００１３】
スキャナ４は、所定の読み取り線密度で原稿画像を光学的に読み取って画情報を得る。画像処理部５は、スキャナ４で得た画情報に対し、２値化、シェーディング補正等の画像処理を行う。操作部６は、倍率を指定することなく、拡大／縮小のみを指定する拡大／縮小キー６ａ、用紙サイズを選択する用紙サイズキー６ｂ、スタートキー６ｃの他、コピーモードの他にＦＡＸモード（通信モード）、スキャナモード等の複数のモードを切り替えるモード切替キー、ワンタッチキー、テンキーなど、各種の操作キーを有する。なお、拡大／縮小キー６ａは、拡大又は縮小を指示する場合に操作する１つのキーであるが、拡大と縮小をそれぞれ指示する個別のキー２個であっても良い。また、用紙サイズキー６ｂは、用紙サイズ毎に設けられる複数のキーであっても良いし、複数のサイズ表示がなされる中から、１つのサイズをクリックにより、選択入力するものであっても良い。　表示部７は、操作部６のキー操作により入力された電話番号、ＦＡＸ番号等を表示する。更に「用紙サイズを選択して下さい。」、「用紙サイズの○○とすれば縮小コピーとなりますが、よろしいでしょうか」などのメッセージの文字情報を表示する。ＬＡＮＩ／Ｆ８は、装置をＬＡＮ１５に接続するためのものである。
【００１４】
ＲＯＭ９は、この複合機全体の動作を制御するためのプログラム等を予め格納してある。ＲＡＭ１０は、主制御部１による制御に必要なデータ及び制御動作時に一時記憶が必要なデータ等を記憶する。画像メモリ１１は、スキャナ４で読み取った原稿の画情報をメモリ送信するために一時的に蓄積したり、受信した画情報をプリンタ１４により記録するまで一時的に蓄積する。
【００１５】
ＣＯＤＥＣ１２は、送信画像データをＧ３ファクシミリに適合する符号化方式（ＭＨ、ＭＲ、ＭＭＲ等）で符号化圧縮し、また受信画像データを所定の復号化方式で復号伸張する。原稿サイズ検知器１３は、セットされた原稿サイズを検知するために設けられる。原稿がＦＢＳにセットされる場合、プラテンガラス上にセットした原稿のサイズを検知する。プラテンガラスの下方に光電式センサを複数配置し、原稿がどの定型サイズかを検知する。もちろん、不定型サイズを検知できるようにしても良い。また、読み取りにＡＤＦを使用する場合には、原稿サイズ検知器１３は原稿給紙トレイ上にセットした原稿のサイズを検知する。プリンタ１４は、受信画データ、スキャナ４が読み取った原稿の画情報、また画像メモリ１１に記憶された画データを用紙に印字する。
【００１６】
次に、図２に示すフロー図を参照して、この実施形態複合機の拡大／縮小処理について説明する。先ず、ステップＳＴ１において、拡大／縮小指示の受け付けを行う。この拡大／縮小の指示は、倍率を指定することなく、拡大又は縮小を行うことのみを指定するものである。拡大／縮小の指示は、操作部６の拡大／縮小キー６ａを押下することにより行うことができる（拡大／縮小指示受付手段）。次に、ステップＳＴ２へ移行する。ステップＳＴ２においては、表示部７に「用紙サイズを選択して下さい。」の文字メッセージを表示する。次に、ステップＳＴ３へ移行する。
【００１７】
ステップＳＴ３においては、用紙サイズが入力されたか否かを判定する。使用者が表示部７のメッセージを見て、用紙サイズキー６ｂを選択操作することにより用紙サイズを選択する（用紙サイズ指示受付手段）。ここで、用紙が入力されたかの判定がＹＥＳとなり、ステップＳＴ４へ移行する。ステップＳＴ４においては、プラテンガラス上にセットした原稿のサイズを原稿サイズ検知器１３により検知する。続いて、ステップＳＴ５へ移行する。
【００１８】
ステップＳＴ５においては、検知した原稿サイズと、入力している用紙サイズとから倍率を算出する。続いて、ステップＳＴ６へ移行する。ステップＳＴ６においては、スタートキー６ｃ押下か否か判定する。操作部６のスタートキー６ｃが使用者によって押下された場合に、ステップＳＴ７へ移行する。ステップＳＴ７においては、ステップＳＴ５で算出した倍率を使用し、拡大／縮小コピーをプリンタ１４で実行する。
【００１９】
次に、他の実施形態複合機の拡大／縮小処理を図３に示すフロー図を参照して説明する。ステップＳＴ１１においては、拡大指示の受け付けを行う。この拡大の指示も、操作部６の拡大／縮小キー６ａを押下することにより行うが、上述したように、個別の拡大指示キーを操作しても良い。次に、ステップＳＴ１２へ移行する。ステップＳＴ１２においては、原稿サイズ検知器１３により、プラテンガラス上、またはＡＤＦにセットされた原稿のサイズを検知する。続いて、ステップＳＴ１３へ移行する。
【００２０】
ステップＳＴ１３においては、表示部６に「用紙サイズを選択して下さい。」の文字メッセージを表示する。次に、ステップＳＴ１４へ移行する。ステップＳＴ１４においては、用紙サイズが入力されたか否かを判定する。使用者が表示部６のメッセージを見て、用紙サイズキー６ｂを操作し、用紙サイズを選択した場合には、ステップＳＴ１５へ移行する。ステップＳＴ１５においては、入力した用紙サイズが検知した原稿サイズより大か否か判定する。用紙サイズの方が大な場合は、ステップＳＴ１６へ移行する。一方、用紙サイズの方が大でない場合は、ステップＳＴ１９へ移行する。
【００２１】
ステップＳＴ１６においては、検知した原稿サイズと入力している用紙サイズとにより、倍率（拡大率）を算出する。続いて、ステップＳＴ１７へ移行する。ステップＳＴ１７においては、スタートキー６ｃ押下か否か判定する。ここでスタートキー６ｃ押下の場合は、次に、テップＳＴ１８へ移行し、拡大コピーの実行を行う。
【００２２】
ステップＳＴ１９においては、ステップＳＴ１６での判定で、原稿サイズより、用紙サイズの方が大きくないと判定されたので、用紙サイズ指示の受け付けを拒否する。この拒否はナック音鳴動で、使用者に報知する。その後、ステップＳＴ１４へ戻る。
【００２３】
用紙サイズが原稿サイズよりも大きくない場合の他の処理として、図４に示すように、図３のステップＳＴ１９に代えて、ステップＳＴ２０、ＳＴ２１、ＳＴ２２、ＳＴ２３を設けても良い。この場合、用紙サイズが原稿サイズより大きくない場合に、ステップＳＴ２０において、表示部７に「用紙サイズを○○とすれば縮小コピーとなりますが、よろしいでしょうか」の文字メッセージを表示する。そして、ステップＳＴ２１へ移行する。ステップＳＴ２１においては、肯定入力有りか否か判定する。肯定入力有りの場合には、ステップＳＴ２２へ移行し、縮小率を算出する。そして、ステップＳＴ２３へ移行し、縮小コピーを実行する。一方、肯定的でない場合は、ステップＳＴ１４へ戻る。
【００２４】
なお、図３、図４では、拡大指示の場合を示しているが、縮小指示の場合も、図３のステップＳＴ１１を“縮小指示の受付”、ステップＳＴ１５を“検知した原稿サイズより小か”、ステップＳＴ１６を“縮小率算出”、ステップＳＴ１８を“縮小コピー実行”、更に図４のステップＳＴ２０を“「用紙サイズを△△とすれば拡大コピーとなりますが、よろしいでしょうか」”、ステップＳＴ２２を“拡大率算出”、ステップＳＴ２３を“拡大コピー実行”と処理内容を変更することにより、同様に実行することができる。
【００２５】
また、上記実施形態装置において、拡大／縮小キーを押下した後、別に備えるキー等にり、拡大／縮小率を設定（入力）し、コピー用紙（記録紙サイズ）を選択しないまま、スタート指示が行われた場合、検知した原稿サイズと設定された拡大／縮小率とに基づいて、最適な用紙（カセット）が自動的に選択されてコピーが実行されるようにしておくと良い。
【００２６】
【発明の効果】
この発明によれば、倍率を設定することなく、拡大／縮小を行うことのみを指定し、これを受け付けた後、用紙サイズと検知した原稿サイズとにより倍率を算出し、算出した倍率に基づいて拡大／縮小コピーを実行するので、ユーザは原稿サイズを意識することなく、選択操作においては、コピー用紙のみを選択すれば良いので、操作の煩雑さが解消される。また、拡大／縮小コピーを指示するための表示部を小型化することができる。
【図面の簡単な説明】
【図１】この発明の一実施形態である複合機の構成を示すブロック図である。
【図２】同実施形態複合機の拡大／縮小コピー処理を説明するフロー図である。
【図３】他の実施形態複合機の拡大／縮小コピー処理を説明するフロー図である。
【図４】図３の変形処理を説明するフロー図である。
【符号の説明】
１　　　　主制御部（ＣＰＵ）
２　　　　ＮＣＵ
３　　　　ＭＯＤＥＭ
４　　　　スキャナ
５　　　　画像処理部
６　　　　操作部
６ａ　　　拡大／縮小キー
６ｂ　　　用紙サイズキー
６ｃ　　　スタートキー
７　　　　表示部
８　　　　ＬＡＮＩ／Ｆ
９　　　　ＲＯＭ
１０　　　ＲＡＭ
１１　　　画像メモリ
１２　　　ＣＯＤＥＣ
１３　　　原稿サイズ検知器
１４　　　プリンタ
【図１】
2004077867.tif 000003
【図２】
2004077867.tif 000004
【図３】
2004077867.tif 000005
【図４】
2004077867.tif 000006